(57)【要約】  【課題】  柱又は基礎を所定の高さ切除し、この切除した部分に免震装置を設置して、既存建物を免震化改修する工法を提供する。  【解決手段】  免震装置を設置する柱又は基礎の周辺に配置した仮受けジャッキの上端部を、その直上に位置する直上階の梁に当接させる。直上階の梁における仮受けジャッキの略直上部分と、前記柱又は基礎の直上に位置する直上階の柱の上側の柱梁接合部とを繋ぐ斜めサポートを介して、直上階の柱より更に上階の柱から反力を得ながら、仮受けジャッキに、免震装置を設置する柱又は基礎が負担していた軸力を負担させる。前記柱又は基礎を所定の高さ切除し、この切除した部分に免震装置を設置する。【選択図】  図４
2007070844.tif 000002
【特許請求の範囲】
【請求項１】
既存建物の免震化改修工法において、
免震装置を設置する柱又は基礎の周辺に配置した仮受けジャッキの上端部を、その直上に位置する直上階の梁に当接させ、同直上階の梁における仮受けジャッキの略直上部分と、前記柱又は基礎の直上に位置する直上階の柱の上側の柱梁接合部とを繋ぐ斜めサポートを介して、前記直上階の柱より更に上階の柱から反力を得ながら、仮受けジャッキに、免震装置を設置する柱又は基礎が負担していた軸力を負担させ、前記柱又は基礎を所定の高さ切除し、この切除した部分に免震装置を設置することを特徴とする、既存建物の免震化改修工法。
【請求項２】
斜めサポートはＨ形鋼とジャッキとを直列に連結して成り、上下端部にフランジを備えた構成であることを特徴とする、請求項１に記載した既存建物の免震化改修工法。
【請求項３】
直上階の梁の上面における仮受けジャッキの略直上位置、及び免震装置を設置する柱又は基礎の直上に位置する直上階の柱における上側の柱梁接合部の隅角部に接続治具を設け、この上下の接続治具に斜めサポートの上下端部をそれぞれ接続することで、直上階の梁における仮受けジャッキの略直上部分と、直上階の柱における上側の柱梁接合部とを斜めサポートで繋げることを特徴とする、請求項１又は２に記載した既存建物の免震化改修工法。
【請求項４】
斜めサポートをブレース材として流用することを特徴とする、請求項１〜３のいずれか一に記載した既存建物の免震化改修工法。
【発明の詳細な説明】
【技術分野】
【０００１】
この発明は、柱又は基礎を所定の高さ切除し、この切除した部分に免震装置を設置して、既存建物を免震化改修する工法の技術分野に属する。
【背景技術】
【０００２】
従来から柱又は基礎を所定の高さ切除し、この切除した部分に免震装置を設置して、既存建物を免震化改修する技術が盛んに実施されている。このとき、免震装置を設置する柱又は基礎が負担していた軸力を、如何にして他の躯体へ伝達し、その反作用として反力を得て、当該軸力を負担させるかが重要である。例えば、
【０００３】
（Ｉ）特許文献１の既存建物の免震化改修工法は、免震装置を設置する柱の直上に位置する直上階の柱の下端部と、その両側の柱の上端部とに鋼製のコネクタを取り付け、この上下のコネクタの間をＰＣ鋼線で繋いで吊り構造とし、前記両側の柱へ、免震装置を設置する柱が負担していた軸力を伝達し、その反作用として反力を得て、ＰＣ鋼線に当該軸力を負担させている。
【０００４】
（II）特許文献２の既存建物の免震化改修工法は、免震装置を設置する柱の外周面に一組の反力治具を相対峙するように配置し、相互をＰＣ鋼棒で連結して前記反力治具を柱に圧設させ、同反力治具と直上階の梁との間にジャッキを仮設する。更に、免震装置を設置する柱の直上に位置する直上階の柱の外周面に、やはり一組の反力治具を相対峙するように配置し、相互をＰＣ鋼棒で連結して前記反力治具を柱に圧設させ、同反力治具と上記直上階の梁との間にジャッキを仮設する。反力治具を介して前記直上階の柱へ、免震装置を設置する柱が負担していた軸力を伝達し、その反作用として反力を得て、ジャッキに当該軸力を負担させている。
【特許文献１】特開２０００−２５７２７１号公報
【特許文献２】特開２００４−１２４５７９号公報
【発明の開示】
【発明が解決しようとする課題】
【０００５】
特許文献１の既存建物の免震化改修工法は、コネクタの取り付け部周辺を剛強に補強する必要があり、施工が煩雑である。
【０００６】
特許文献２の既存建物の免震化改修工法は、反力治具を柱に圧設しているだけなので、同反力治具を介して直上階の柱へ、大きな軸力を伝達することができない。その結果、大きな反力を得ることもできず、ジャッキが負担できる軸力が小さい。
【０００７】
本発明の目的は、斜めサポートの上端部を剛強な柱梁接合部に接続することで、特に接続部周辺に補強を施さなくても、直上階の柱より更に上階の柱へ大きな軸力を伝達することができ、その反作用として大きな反力を得られ、結果として仮受けジャッキに大きな軸力を負担させることができ、しかも施工が容易な既存建物の免震化改修工法を提供することである。
【課題を解決するための手段】
【０００８】
上記従来技術の課題を解決するための手段として、請求項１に記載した発明に係る既存建物の免震化改修工法は、
既存建物の免震化改修工法において、
免震装置を設置する柱又は基礎の周辺に配置した仮受けジャッキの上端部を、その直上に位置する直上階の梁に当接させ、同直上階の梁における仮受けジャッキの略直上部分と、前記柱又は基礎の直上に位置する直上階の柱の上側の柱梁接合部とを繋ぐ斜めサポートを介して、前記直上階の柱より更に上階の柱から反力を得ながら、仮受けジャッキに、免震装置を設置する柱又は基礎が負担していた軸力を負担させ、前記柱又は基礎を所定の高さ切除し、この切除した部分に免震装置を設置することを特徴とする。
【０００９】
請求項２記載の発明は、請求項１に記載した既存建物の免震化改修工法において、
斜めサポートはＨ形鋼とジャッキとを直列に連結して成り、上下端部にフランジを備えた構成であることを特徴とする。
【００１０】
請求項３記載の発明は、請求項１又は２に記載した既存建物の免震化改修工法において、
直上階の梁の上面における仮受けジャッキの略直上位置、及び免震装置を設置する柱又は基礎の直上に位置する直上階の柱における上側の柱梁接合部の隅角部に接続治具を設け、この上下の接続治具に斜めサポートの上下端部をそれぞれ接続することで、直上階の梁における仮受けジャッキの略直上部分と、直上階の柱における上側の柱梁接合部とを斜めサポートで繋げることを特徴とする。
【００１１】
請求項４記載の発明は、請求項１〜３のいずれか一に記載した既存建物の免震化改修工法において、
斜めサポートをブレース材として流用することを特徴とする。
【発明の効果】
【００１２】
本発明に係る既存建物の免震化改修工法は、斜めサポートの上端部を、剛強な柱梁接合部に接続したので、特に接続部周辺に補強を施さなくても、直上階の柱より更に上階の柱へ大きな軸力を伝達することができ、その反作用として大きな反力を得られ、結果として仮受けジャッキに大きな軸力を負担させることができる。しかも、仮受けジャッキの上方に斜めサポートを配置しただけの簡易な構成で大きな軸力を負担することができ、施工が容易である。
【発明を実施するための最良の形態】
【００１３】
免震装置を設置する柱又は基礎の周辺に配置した仮受けジャッキの上端部を、その直上に位置する直上階の梁に当接させ、同直上階の梁における仮受けジャッキの略直上部分と、前記柱又は基礎の直上に位置する直上階の柱の上側の柱梁接合部とを繋ぐ斜めサポートを介して、前記直上階の柱より更に上階の柱から反力を得ながら、仮受けジャッキに、免震装置を設置する柱又は基礎が負担していた軸力を負担させ、前記柱又は基礎を所定の高さ切除し、この切除した部分に免震装置を設置する。
【実施例１】
【００１４】
以下に、請求項１〜３に記載した発明に係る既存建物の免震化改修工法（以下、単に免震化改修工法と省略する場合がある。）の実施例を、図１〜図５に基づいて説明する。本実施例の免震化改修工法は、施工完了図である図５に示すように、既存建物１の基礎（フーチング）２を所定の高さ（免震装置を設置できる高さ）切除し、この切除した部分に免震装置３を設置するために実施する。
【００１５】
先ず、図１〜図３に示すように、フーチング２の周辺に仮受けジャッキ４を配置する。具体的には、フーチング２における免震装置３が設置される上部を取り囲み、且つ直上階の梁５の直下位置に仮受けジャッキ４を配置できるように、フーチング２にコンクリート架台６を構築し、同コンクリート架台６の上面に仮受けジャッキ４を配置する。このとき、後で仮受けジャッキ４の略直上位置から斜めサポート７をできるだけ立てた状態で配置できるように、同仮受けジャッキ４をフーチング２の中心Ｔの近くに配置することが好ましい。
【００１６】
次に、直上階の梁５における仮受けジャッキ４の略直上部分と、前記フーチング２の直上に位置する直上階の柱８における上側の柱梁接合部９とを斜めサポート７で繋ぐ。斜めサポート７は、Ｈ形鋼１０と通例の油圧式ジャッキ１１を直列に連結して成り、上下端部にフランジ１２、１３を備えた剛強な構成である（請求項２記載の発明）。
【００１７】
この斜めサポート７を好適に配置できるように、直上階の梁５の上面における仮受けジャッキ４の略直上位置、及び上記柱梁接合部９の隅角部に、接続治具１４、１５を設けている。接続治具１４、１５は、斜めサポート７の上下のフランジ１２、１３を確実に当接できるように、各々に傾斜部を形成しており、現場打ちコンクリート製又はプレキャストコンクリート製又は鋼製である。
【００１８】
前記上下の接続治具１４、１５の間に斜めサポート７を配置して、同斜めサポート７のジャッキ１１を伸長させ、上下のフランジ１２、１３をそれぞれ当接させて接続している（請求項３記載の発明）。その結果、仮受けジャッキ４を伸長させると、前記斜めサポート７を介して直上階の柱８より更に上階の柱８’へ、フーチング２が負担していた軸力が伝達され、その反作用として前記柱８’から反力を良好に得ることができる構成となる。
【００１９】
仮受けジャッキ４を伸長させて、その上端部を直上階の梁５に当接させ、上述したように斜めサポート７を介して前記直上階の柱８より更に上階の柱８’から反力を得ながら、前記仮受けジャッキ４にフーチング２が負担していた軸力を負担させる。斜めサポート７の上端部は、剛強な柱梁接合部９に接続されているので、特に接続部周辺に補強を施さなくても、上記柱８’へ大きな軸力を伝達することができ、その反作用として大きな反力を得られ、結果として仮受けジャッキ４に大きな軸力を負担させることができる。しかも、仮受けジャッキ４の上方に斜めサポート７を配置しただけの簡易な構成で大きな軸力を負担することができ、施工が容易である。
【００２０】
また、斜めサポート７は比較的立てた状態で配置されているため、伝達する軸力の水平成分が小さく、下側の接続治具１５の傾斜部を必要以上に剛強な構成とする必要がない。
【００２１】
その後、図４及び図５に示すように、通例の免震化改修工法と同様に、ワイヤーソーを用いてフーチング２の上部を所定の高さ除去し、この除去した部分に免震装置３を挿入して設置し、最後に斜めサポート７、及び接続治具１４、１５、並びに仮受けジャッキ４を撤去すると、既存建物１の免震化改修が完了する。
【００２２】
本実施例の免震化改修工法は、基礎部分を免震化改修したが、中間階を免震化改修する場合も略同様に実施できる。具体的には、図６に示すように、免震装置３を設置する柱１６又はこれに類する部材の周辺に仮受けジャッキ４を配置するべく、当該中間階の梁１７上にコンクリート架台１８を構築し、更に、直上階の梁１９に垂れ壁２０を構築する。そして、前記コンクリート架台１８と垂れ壁２０との間に仮受けジャッキ４を配置する。その後の工程は上記した基礎部分の免震化改修と同様である。
【００２３】
本実施例の免震化改修工法は、免震装置３を設置した後に、斜めサポート７を撤去したが、斜めサポート７が鋼製又はコンクリート製の場合はブレース材として残しておくと、好都合である（請求項４記載の発明）。
【００２４】
本実施例の免震化改修工法は、仮受けジャッキ４を配置した後に、斜めサポート７を配置したが、工程順は特に限定されず、要するに仮受けジャッキ４の上端部を直上階の梁５に当接させる際に、斜めサポート７が配置されていれば良い。
【００２５】
以上に本発明の実施例を説明したが、本発明はこうした実施例に何ら限定されるものではなく、本発明の要旨を逸脱しない範囲において、種々の形態で実施し得る。
【図面の簡単な説明】
【００２６】
【図１】本発明に係る既存建物の免震化改修工法の施工途中の形態を示した立面図である。
【図２】図１のＡ−Ａ矢視断面図である。
【図３】図１のＢ−Ｂ矢視断面図である。
【図４】本発明に係る既存建物の免震化改修工法の施工途中の形態を示した立面図である。
【図５】本発明に係る既存建物の免震化改修工法の施工完了の形態を示した立面図である。
【図６】本発明に係る既存建物の免震化改修工法の異なる施工途中の形態を示した立面図である。
【符号の説明】
【００２７】
１      既存建物
２      免震装置を設置する基礎（フーチング）
３      免震装置
４      仮受けジャッキ
５      直上階の梁
７      斜めサポート
８      直上階の柱
８’    直上階の柱より更に上階の柱
９      柱梁接合部
１０    Ｈ形鋼
１１    ジャッキ
１４、１５    接続治具
１６    免震装置を設置する柱
【図１】
2007070844.tif 000003
【図２】
2007070844.tif 000004
【図３】
2007070844.tif 000005
【図４】
2007070844.tif 000006
【図５】
2007070844.tif 000007
【図６】
2007070844.tif 000008